(57)【要約】      （修正有）【課題】通気路を開閉するパネル蓋体を取外すことなく、フィルターを取出して、簡単に清掃作業ができるプッシュ式レジスターを提供する。【解決手段】取付本体１の前面開口部に前後方向移動自在に配設し通気路を開閉するパネル蓋体２と、該パネル蓋体を取付本体に移動自在に支持するとともに開放位置と閉塞位置とに係止する開閉手段３とを、底片２２と左右両側片２３とで略Ｕ字状に形成した取付アーム２１を介して連結し、前記取付アームの両側片を取付本体の通気路の左右両側に配設するとともに、取付アームの両側片間にフィルター収納部８を形成し、該フィルター収納部にフィルター４を上下方向に取外し自在に装着した。【選択図】図１
0003158026.tif 000002
【実用新案登録請求の範囲】
【請求項１】
室内外を連通する通気路を形成する筒状の取付本体と、前記取付本体の前面開口部に前後方向移動自在に配設し、該前面開口部を開閉するパネル蓋体と、前記パネル蓋体に連結された第１支持部材と取付本体に連結された第２支持部材とを移動自在に嵌合させてパネル蓋体を取付本体に支持するとともに、該パネル蓋体を開放位置と閉塞位置とに係止する開閉手段と、前記取付本体の前面開口部に装着して該前面開口部を覆い粉塵等の進入を防止するフィルターとを備え、前記開閉手段は取付本体の通気路の中心部に取付けられ、パネル蓋体を押圧して開閉手段を操作するプッシュ式レジスターにおいて、底片と左右両側片とで略Ｕ字状に形成した取付アームの該底片に前記開閉手段の第１支持部材を固定するとともに、該両側片の先端に前記パネル蓋体を固定して、取付アームを介して開閉手段とパネル蓋体とを連結し、前記取付アームの両側片を取付本体の通気路の左右両側に配設するとともに該取付アームを前後方向移動自在に支持し、前記取付アームの両側片間にフィルター収納部を形成し、該フィルター収納部にフィルターを上下方向に取外し自在に装着したことを特徴とするプッシュ式レジスター。      
【請求項２】
前記取付本体の通気路の左右両側にガイド筒体を設けるとともに、前記取付アームの左右両側片を断面十字状に形成し、該左右両側片を前記ガイド筒体内にスライド自在に嵌合し支持するようにしたことを特徴とする請求項１記載のプッシュ式レジスター。
【請求項３】
前記フィルターを下方向に取外し自在にするとともに、フィルター取外し用の摘みを下方向に突出させて形成したことを特徴とする請求項１記載のプッシュ式レジスター。
【考案の詳細な説明】
【技術分野】
【０００１】
本考案は、家屋の壁や天井等に設けられた換気口に装着し、室内の換気を行うプッシュ式のレジスターに関するものである。
【背景技術】
【０００２】
近年、家屋の気密化に伴い室内の換気需要が高まり、外観的にも優れ、前面のパネル蓋体を押圧するだけの簡単な操作で開閉切替ができるプッシュ式レジスターが普及してきている。また、一方では、換気口からの粉塵や花粉等の進入を防止し、室内を清潔に保つことが重要視されてきている。
【０００３】
この室内を清潔に保つため、特許文献１に記載された従来例のように、プッシュ式レジスターの前面開口部にフィルター（従来例のスクリーン３４）を取付けたものが知られている。そして、該フィルターは定期的に掃除する必要があるため、かかる従来例ではフィルターを取出して掃除できるようになっている。
【先行技術文献】
【特許文献】
【０００４】
【特許文献１】実用新案登録第３０５９３５６号公報
【考案の概要】
【考案が解決しようとする課題】
【０００５】
ところが、上記従来例では、パネル蓋体（従来例のグリル１８）を連結支持する軸部材（従来例の連結筒体２２、シャフト４８）が邪魔になり、パネル蓋体を取外さなければフィルターが取出せない構造になっていた。粉塵や花粉等は、季節や場所によりかなり多く発生してフィルターに付着するため、そのようなときには、フィルターの掃除を頻繁に行うことが必要となり、かかる従来例では、その都度パネル蓋体を取外さなければならず、フィルターの清掃作業が非常に煩わしいものになっていた。
【０００６】
本考案は、上記課題を解決するもので、パネル蓋体を取外すことなく、フィルターを取出して簡単に清掃作業ができるプッシュ式レジスターを提供することを目的とする。        
【課題を解決するための手段】
【０００７】
本考案は、室内外を連通する通気路を形成する筒状の取付本体と、前記取付本体の前面開口部に前後方向移動自在に配設し、該前面開口部を開閉するパネル蓋体と、前記パネル蓋体に連結された第１支持部材と取付本体に連結された第２支持部材とを移動自在に嵌合させてパネル蓋体を取付本体に支持するとともに、該パネル蓋体を開放位置と閉塞位置とに係止する開閉手段と、前記取付本体の前面開口部に装着して該前面開口部を覆い粉塵等の進入を防止するフィルターとを備え、前記開閉手段は取付本体の通気路の中心部に取付けられ、パネル蓋体を押圧して開閉手段を操作するプッシュ式レジスターにおいて、底片と左右両側片とで略Ｕ字状に形成した取付アームの該底片に前記開閉手段の第１支持部材を固定するとともに、該両側片の先端に前記パネル蓋体を固定して、取付アームを介して開閉手段とパネル蓋体とを連結し、前記取付アームの両側片を取付本体の通気路の左右両側に配設するとともに該取付アームを前後方向移動自在に支持し、前記取付アームの両側片間にフィルター収納部を形成し、該フィルター収納部にフィルターを上下方向に取外し自在に装着したことを特徴としたものである。
【０００８】
更に本考案は、前記取付本体の通気路の左右両側にガイド筒体を設けるとともに、前記取付アームの左右両側片を断面十字状に形成し、該左右両側片を前記ガイド筒体内にスライド自在に嵌合し支持するようにしたことを特徴としたものである。
【０００９】
更に本考案は、前記フィルターを下方向に取外し自在にするとともに、フィルター取外し用の摘みを下方向に突出させて形成したことを特徴としたものである。
【考案の効果】
【００１０】
請求項１の構成により、パネル蓋体を取り外すことなくフィルターを取り出すことができるので、非常に簡単に掃除作業等のフィルターの手入ができる。また、パネル蓋体を左右２箇所で支持するので、従来例のような中心を一箇所だけ支持するものに比べて安定して支持でき、強風などの風圧によるがたつきや不快音を軽減することができる。
【００１１】
請求項２の構成により、ガイド筒体で取付アームがスライド自在に支持されてパネル蓋体が安定保持され、また、ガイド筒体と断面十字状の取付アームは面接触ではなく線接触でスライドするため接触抵抗が少なくてスライド操作が円滑にでき、更に、取付アームは断面十字状のために、軽量で強度も大にできる。
【００１２】
請求項３の構成により、一見して、フィルターが取り外せる構成のものであることが分かり、また取外し操作も簡単にできる。
【図面の簡単な説明】
【００１３】
【図１】本考案の実施例を示す分解斜視図
【図２】同上の正面斜視図
【図３】同上の背面斜視図
【図４】同上のパネル蓋体を外した状態の正面図
【図５】同上の防虫網と開閉手段を外した状態の背面図
【図６】図４のＡ−Ａ断面図（パネル蓋体全開状態）
【図７】図４のＡ−Ａ断面図（パネル蓋体閉塞状態）
【考案を実施するための形態】
【実施例】
【００１４】
以下、本考案の実施例を示す図１乃至図７に基づいて説明する。本考案のプッシュ式レジスターは、壁や天井等に開口した換気口（図示せず）に装着する円筒状の取付本体１と、該取付本体１の前面開口部に前後方向（図１の矢印Ｘ方向）に移動自在に配設したパネル蓋体２と、該パネル蓋体２を移動自在に支持するとともに、パネル蓋体２を開放位置と閉塞位置とに係止する開閉手段３と、取付本体１の前面開口部を覆い粉塵等の進入を防止するフィルター４と、取付本体１の後面開口部を覆うプラスチック製の防虫網５とを備えている。
【００１５】
取付本体１には、室内外を連通する通気路６が形成されるとともに、前面開口部の周囲に矩形状のフランジ部７が形成され、取付本体１を壁や天井等に開口した換気口に装着し、フランジ部７で壁や天井面に取付けるようになっており、通気路６を介して室内の換気ができるようになっている。
【００１６】
フランジ部７にはフィルター収納部８が形成され、該フィルター収納部８の上下方向（図１の矢印Ｙ方向）下側にはフィルター着脱口９が形成されるとともに、フィルター収納部８の左右方向（図１のＺ方向）の両側にはフィルター４を保持するフック１０が4箇所形成されている。フィルター４はフィルター着脱口９から挿入され、フィルター着脱口９の近傍に設けた弾性係止手段（図示せず）とフック１０により、上下方向に着脱自在に保持するようになっている。
【００１７】
而して、フィルター４は、後述する取付アーム２１の左右両側片２３、２３の間に形成されたフィルター収納部８に収納され、上下方向に着脱自在に装着するようになっているため、従来例のように、パネル蓋体と開閉手段との連結部分に邪魔されることがなくなり、従って、パネル蓋体３を取外すことなく着脱できるようになっている。
【００１８】
また、フィルター４の下側には取外し用の摘み１１を設け、該摘み１１は、図４に示すように、フランジ部７より外側に突出しており、一見してフィルター４が着脱できるものであることや取外し方向がわかるようになっている。なお、フィルター４は、丈夫なプラスチック製の枠体に防カビ剤や抗菌剤入りの繊維を取付けて構成されている。
【００１９】
取付本体１の通気路６の左右方向の両側には、後述する取付アーム２１の左右両側片２３、２３を前後方向にスライド自在に嵌合し支持するガイド筒体１２、１２が設けられるとともに、取付本体１の中心部には、後述する開閉手段３の第１支持部材をスライド自在に嵌合し支持する取付枠体１３が設けられ、該取付枠体１３は固定リブ１４で取付本体１に連結し固定されている。
【００２０】
開閉手段３は、図６および図７に示すように、パネル蓋体２と連結され且つガイド筒体１２内に前後方向に移動自在に支持される第１支持部材１５と、取付本体１に固定され且つ第１支持部材１５をスライド自在に嵌合し支持する第２支持部材１６と、該第２支持部材１６に対して第１支持部材１５をパネル蓋体方向に付勢するコイルばね１７と、第１支持部材１５および第２支持部材１６の夫々に設けられ、パネル蓋体２を全開位置から閉塞位置の間で４段階の位置に係止する第１および第２係止部材１８、１９とで構成されている。
【００２１】
第１支持部材１５に設けられた第１係止手段１８は、弾性片の先端に係止突起（図示せず）を設けて構成されている。また、第２支持部材１６に設けられた第２係止手段１９は、第１支持部材１５の係止突起を係止してパネル蓋体２を４段階の所定の開閉位置にセットする係止凹部２０が形成されている。  
【００２２】
パネル蓋体２と開閉手段３の第１支持部材１５とは、取付アーム２１を介して連結されている。該取付アーム２１は、一対のＬ字状の部材を対面させて組み合わせ、全体として底片２２と左右側片２３、２３とで略Ｕ字状に形成され、該底片２２の中央部に開閉手段３の第１支持部材１５が固定されるとともに、両側片２３、２３の先端はパネル蓋体２に固定されている。また、取付アーム２１の底片２２は、取付本体１内の後方に形成した一対のガイド壁２４、２４（図５参照）の間にスライド自在に収納され、また、取付アーム２１の両側片２３、２３は、取付本体１内の通気路６の左右両側に設けたガイド筒体１２、１２内にスライド自在に嵌合し支持されるようになっている。
【００２３】
取付アーム２１の側片２３、２３は、断面十字状に形成され、また、図５に示すように、ガイド筒体１２の内壁面には、側片２３の十字状の先端が当接する部分に凸条２７が形成されており、両者のスライド部分の接触面積を減らしてスライド操作が円滑にできるようにし、更に、取付アーム２１は断面十字状のために軽量で強度も大になっている。
【００２４】
防虫網５は、図３および図５に示すように、ガイド壁２４、２４の後端面に形成した２箇所のねじ固定部２５、２５に螺着されて取付本体１に固定され、また、図３および図６に示すように、開閉手段３の第２支持部材１６が防虫網５にねじ固定部２６で螺着され、第２支持部材１６は防虫網５を介して取付本体１に固定されている。
【００２５】
次に、パネル蓋体２の動作状態について図６および図７に基づき説明する。図６はパネル蓋体２が全開状態を示し、弾性片１８先端の係止突起（図示せず）が最先端位置の係止凹部２０に係止されている。この状態からパネル蓋体２を後方に押圧すると、コイルばね１６が圧縮されて第１支持部材１５が後方へ移動する。それに伴い弾性片１８の先端が撓み、弾性片１８先端の係止突起が第２係止部材１６の係止凹部２０、２０間の山を乗り越えて、順次、後方の係止凹部２０に係止されて、最終的には、図７に示すように、パネル蓋体２が閉塞状態になる。
【００２６】
この状態から更にパネル蓋体２を押圧すると、また元の全開状態に戻るようになっており、パネル蓋体２を押圧する毎に、全開→半開１→半開２→閉塞→全開・・・と順次4段階に切替わるようになっている。なお、本考案は、かかる４段階の開閉方式に限定されるものではなく、２段階以上の開閉方式に適用できるものである。
【符号の説明】
【００２７】
１    取付本体
２    パネル蓋体
３    開閉手段
４    フィルター
６    通気路
８    フィルター収納部
１１  摘み
１２  ガイド筒体
１５  第１支持部材
１６  第２支持部材
１８  係止手段
１９  係止手段
２１  取付アーム
２２  底片
２３  側片
【図１】
0003158026.tif 000003
【図２】
0003158026.tif 000004
【図３】
0003158026.tif 000005
【図４】
0003158026.tif 000006
【図５】
0003158026.tif 000007
【図６】
0003158026.tif 000008
【図７】
0003158026.tif 000009